(57)【特許請求の範囲】
【請求項１】
オペレータの操作に基づいて、第１及び第２の映像素材を繋ぎ合わせた編集映像を得るための編集内容を規定した編集データを作成し、当該作成した編集データに基づいて上記第１及び第２の映像素材を編集して上記編集映像を生成する編集装置において、
上記編集データを変更する際、上記第１の映像素材におけるアウト点の映像及び当該アウト点を示す第１のタイムコード値と、上記第２の映像素材におけるイン点の映像及び当該イン点を示す第２のタイムコード値とを表示する表示手段と、
上記第１のタイムコード値又は上記第２のタイムコード値に対する増減変更操作を受け付ける操作受付手段と、
上記第１のタイムコード値が増減変更された場合には、当該第１のタイムコード値と連動し相補的に上記第２のタイムコード値を増減させ、上記第２のタイムコード値が増減変更された場合には、当該第２のタイムコード値と連動し相補的に上記第１のタイムコード値を増減させる連動変更手段と
を具えることを特徴とする編集装置。
【請求項２】
オペレータの操作に基づいて、第１及び第２の映像素材を繋ぎ合わせた編集映像を得るための編集内容を規定した編集データを作成し、当該作成した編集データに基づいて上記第１及び第２の映像素材を編集して上記編集映像を生成する編集方法において、
上記編集データを変更する際、上記第１の映像素材におけるアウト点の映像及び当該アウト点を示す第１のタイムコード値と、上記第２の映像素材におけるイン点の映像及び当該イン点を示す第２のタイムコード値とを表示する表示ステツプと、
上記第１のタイムコード値又は上記第２のタイムコード値に対する増減変更操作を受け付ける操作受付ステツプと、
上記第１のタイムコード値が増減変更された場合には、当該第１のタイムコード値と連動し相補的に上記第２のタイムコード値を増減させ、上記第２のタイムコード値が増減変更された場合には、当該第２のタイムコード値と連動し相補的に上記第１のタイムコード値を増減させる連動変更ステツプと
を具えることを特徴とする編集方法。
【発明の詳細な説明】
【０００１】
【目次】
以下の順序で本発明を説明する。
【０００２】
発明の属する技術分野
従来の技術
発明が解決しようとする課題
課題を解決するための手段（図１〜図１２）
発明の実施の形態
（１）本実施の形態による編集装置の構成（図１）
（２）主制御部の構成（図２）
（３）メイン画面における操作（図３〜図１０）
（４）トリムエデイタモード処理手順（図１１及び図１２）
（５）本実施の形態の動作及び効果（図１〜図１２）
（６）他の実施の形態（図１〜図１２）
発明の効果
【０００３】
【発明の属する技術分野】
本発明は編集データ作成装置及び編集装置に関し、特にオペレータの操作に基づいて、第１及び第２の映像素材を繋ぎ合わせた編集映像を得るための編集内容を規定した編集データを作成できるようになされた編集データ作成装置及び編集装置に適用して好適なものである。
【０００４】
【従来の技術】
従来、例えば第１及び第２の映像素材を繋ぎ合わせる編集（いわゆるＡＢロール）作業では、第１及び第２の映像素材をそれぞれ別々に編集（イン点及びアウト点の指定等）し、第１及び第２の映像素材の切り換えタイミングをとることにより行われていた。
【０００６】
【発明が解決しようとする課題】
ところがこのような編集作業では、上述のように第１及び第２の映像素材をそれぞれ別々に編集するため、第１の映像素材のアウト点及び第２の映像素材のイン点の微調整が煩雑となり、編集作業の効率が悪い問題があつた。
【０００７】
本発明は以上の点を考慮してなされたもので、編集作業の効率を格段的に向上させ得る編集データ作成装置及び編集装置を提案しようとするものである。
【０００８】
【課題を解決するための手段】
かかる課題を解決するため本発明においては、オペレータの操作に基づいて、第１及び第２の映像素材を繋ぎ合わせた編集映像を得るための編集内容を規定した編集データを作成し、当該作成した編集データに基づいて第１及び第２の映像素材を編集して編集映像を生成する編集装置において、編集データを変更する際、第１の映像素材におけるアウト点の映像及び当該アウト点を示す第１のタイムコード値と、第２の映像素材におけるイン点の映像及び当該イン点を示す第２のタイムコード値とを表示する表示手段と、第１のタイムコード値又は第２のタイムコード値に対する増減変更操作を受け付ける操作受付手段と、第１のタイムコード値が増減変更された場合には、当該第１のタイムコード値と連動し相補的に第２のタイムコード値を増減させ、第２のタイムコード値が増減変更された場合には、当該第２のタイムコード値と連動し相補的に第１のタイムコード値を増減させる連動変更手段とを設けるようにした。
【０００９】
この結果オペレータは、第１及び第２の映像素材の繋ぎ目におけるアウト点及びイン点の調整を１回の操作だけで行うことができる。
【００１０】
また本発明においては、オペレータの操作に基づいて、第１及び第２の映像素材を繋ぎ合わせた編集映像を得るための編集内容を規定した編集データを作成し、当該作成した編集データに基づいて第１及び第２の映像素材を編集して編集映像を生成する編集方法において、編集データを変更する際、第１の映像素材におけるアウト点の映像及び当該アウト点を示す第１のタイムコード値と、第２の映像素材におけるイン点の映像及び当該イン点を示す第２のタイムコード値とを表示する表示ステツプと、第１のタイムコード値又は第２のタイムコード値に対する増減変更操作を受け付ける操作受付ステツプと、第１のタイムコード値が増減変更された場合には、当該第１のタイムコード値と連動し相補的に第２のタイムコード値を増減させ、第２のタイムコード値が増減変更された場合には、当該第２のタイムコード値と連動し相補的に第１のタイムコード値を増減させる連動変更ステツプとを設けるようにした。
【００１１】
この結果オペレータは、第１及び第２の映像素材の繋ぎ目におけるアウト点及びイン点の調整を１回の操作だけで行うことができる。
【００１２】
【発明の実施の形態】
以下図面について、本発明の一実施の形態を詳述する。
（１）本実施の形態による編集装置の構成
【００１３】
図１において、１は全体として本実施の形態による編集装置を示し、ビデオテープに記録された映像音声の所望部分をクリツプとして登録し得る一方、このとき所望のクリツプの映像信号及び音声信号をハードデイスク装置２に取り込み得るようになされている。
【００１４】
またこの編集装置１では、登録された各クリツプを所望状態に繋ぎ合わせて所望の編集映像音声を得るための編集内容を規定した編集データを作成でき、さらにこの作成した編集データに従つて実際に編集処理を実行することができるようになされている。
【００１５】
すなわちこの編集装置１においては、主制御部３、システム制御部４、映像入力部５、映像出力部６、デイジタル映像音声入出力部７、映像特殊効果処理部８、音声入出力／ミキサ部９及びデイスク制御部１０がコントロールバス１１を介して接続されることにより構成されている。
【００１６】
この場合主制御部３は、初期時、デイスプレイ１２に所定の操作画面（以下、これをメイン画面と呼ぶ）を表示させる。また主制御部３は、この状態においてマウス１３が操作されることにより、クリツプ登録モードが選択され、当該編集装置１に接続された複数台のビデオテープレコーダ１４Ａ〜１４Ｄのなかから１台のビデオテープレコーダ１４Ａ〜１４Ｄの再生動作命令が入力されると、これに応じた制御コマンドＣ１をシステム制御部４に送出する。
【００１７】
システム制御部４は、供給される制御コマンドＣ１に基づいて、対応するビデオテープレコーダ１４Ａ〜１４Ｄに制御信号Ｓ１を送出することにより、ビデオテープに記録された映像信号及び音声信号の再生動作を実行させる。
【００１８】
この結果このビデオテープレコーダ１４Ａ〜１４Ｄからはアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００１９】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００２０】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００２１】
このとき映像特殊効果処理部８は、システム制御４の制御のもとに、映像入力部５又はデイジタル映像音声入出力部７から供給されるデイジタル映像信号Ｓ６、Ｓ４を主制御部３に送出する。かくしてこのときデイスプレイ１２には、主制御部４の制御のもとにデイジタル映像信号Ｓ６、Ｓ４に基づく映像がメイン画面上の所定位置に表示される。
【００２２】
またこのときアナログ音声信号Ｓ３が取り込まれた場合には、これがそのまま音声入出力／ミキサ部９から図示しないスピーカに送出され、またデイジタル音声信号Ｓ５が取り込まれた場合には、これが音声入出力／ミキサ部９においてアナログ変換された後、スピーカに送出される。
【００２３】
これによりこの編集装置１では、デイスプレイ１２に表示された映像及びスピーカから出力される音声に基づいて、オペレータがマウス１３及びキーボード１５を用いて映像及び音声の所望部分を指定することができ、さらにこれをクリツプとしてそのイン点及びアウト点のタイムコードや素材長（デユレーシヨン）等の関連データを主制御部３内に登録することができるようになされている。
このとき主制御部３は、予め取込みモードが選択されている場合には、これに応じた制御コマンドＣ１をシステム制御部４に送出する。
【００２４】
システム制御部４は、供給される制御コマンドＣ１に基づいて、対応するビデオテープレコーダ１４Ａ〜１４Ｄに制御信号Ｓ１を送出することにより、登録されたクリツプの映像音声を当該ビデオテープレコーダ１４Ａ〜１４Ｄに再生させる一方、映像入力部５及び音声入出力／ミキサ部９と、デイジタル映像音声入出力部７とのいずれか一方をコントロールバス１１を介して制御することにより、ビデオテープレコーダ１４Ａ〜１４Ｄから出力されるアナログ映像信号Ｓ２及びアナログ音声信号Ｓ３と、デイジタル映像信号Ｓ４及びデイジタル音声信号Ｓ５とのうちのいずれか一方を取り込ませる。
【００２５】
この結果映像入力部５を介してアナログ映像信号Ｓ２が取り込まれた場合には、これが映像入力部５においてデイジタル変換された後デイジタル映像信号Ｓ６として映像特殊効果処理部８を介してデイスク制御部１０に送出され、デイジタル映像音声入出力部７を介してデイジタル映像信号Ｓ４が取り込まれた場合には、これがそのままデイスク制御部１０に送出される。
【００２６】
またこのとき音声入出力／ミキサ部９を介してアナログ音声信号Ｓ３が取り込まれた場合には、これが音声入出力／ミキサ部９においてデイジタル変換された後デイジタル音声信号Ｓ７としてデイスク制御部１０に送出され、デイジタル映像音声入出力部９を介してデイジタル音声信号Ｓ５が取り込まれた場合には、これが直接デイスク制御部１０に送出される。
【００２７】
そしてデイスク制御部１０は、このときシステム制御部４からコントロールバス１１を介して与えられるコマンドに基づいて、映像特殊効果処理部８又はデイジタル映像音声入出力部７から与えられるデイジタル映像信号Ｓ６、Ｓ４と、音声入出力／ミキサ部９又はデイジタル映像音声入出力部７から与えられるデイジタル音声信号Ｓ７、Ｓ５とを順次取り込み、これらをハードデイスク装置２に与えてハードデイスクの指定されたアドレス位置に記録させる。
【００２８】
このようにしてこの編集装置１においては、登録されたクリツプの映像音声をビデオテープから再生してハードデイスク装置２に取り込むことができるようになされている。
【００２９】
一方主制御部３は、上述のようにしてクリツプが登録されると、デイスプレイ１２に表示されているメイン画面内に、登録されたクリツプのリストを表示させる。
【００３０】
そしてオペレータは、このメイン画面を用いてどのクリツプとどのクリツプとをどのように繋ぎ合わせるかといつた編集内容を規定した編集データを編集リストとして作成することができる。またオペレータは、編集リストの作成後又は作成途中において、その編集リストに基づく編集映像及び編集音声を確認することができる。
【００３１】
実際上、主制御部３は、編集リストの作成後又は作成途中において、その編集リストに基づく編集映像音声のプレビユーモードが選択されると、これに応じた制御コマンドＣ１をシステム制御部４に送出する。
【００３２】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、編集処理に利用するクリツプの映像音声をハードデイスク装置２から再生させる。
【００３３】
この結果このビデオテープレコーダ１４Ａ〜１４Ｄからは指定されたクリツプのアナログ映像信号Ｓ２及びアナログ音声信号Ｓ３と、デイジタル映像信号Ｓ４及びデイジタル音声信号Ｓ５とが出力され、アナログ映像信号Ｓ２及びアナログ音声信号Ｓ３がそれぞれ映像入力部５又は音声入出力／ミキサ部９に与えられ、デイジタル映像信号Ｓ４及びデイジタル音声信号Ｓ５がデイジタル映像音声入出力部７に与えられる。
【００３４】
このときシステム制御部４は、コントロールバス１１を介して映像入力部５及び音声入出力／ミキサ部９と、デイジタル映像音声入出力部７とのうちのいずれか一方を制御することにより、ビデオテープレコーダ１４Ａ〜１４Ｄから出力されたアナログ映像信号Ｓ２及びアナログ音声信号Ｓ３と、デイジタル映像信号Ｓ４及びデイジタル音声信号Ｓ５とのうちのいずれか一方のみを取り込ませる。
【００３５】
かくして映像入力部５を介してアナログ映像信号Ｓ２が取り込まれた場合には、これが映像入力部５においてデイジタル変換された後デイジタル映像信号Ｓ６として映像特殊効果処理部８に与えられ、デイジタル映像音声入出力部７を介してデイジタル映像信号Ｓ４が取り込まれた場合には、これがそのまま映像特殊効果処理部８に与えられる。
【００３６】
このとき映像特殊効果処理部８は、システム制御部４の制御のもとに、供給される各クリツプのデイジタル映像信号Ｓ６、Ｓ４を必要に応じて指定された状態に特殊効果加工処理する。また映像特殊効果処理部８は、このとき主制御部３から必要に応じて与えられるタイトル文字や各種グラツフイツク等の画像データを各クリツプのデイジタル映像信号Ｓ６、Ｓ４間に挿入し、又はデイジタル映像信号Ｓ６、Ｓ４に重畳し、かくして得られたデイジタル編集映像信号Ｓ８を映像出力部６に送出する。
【００３７】
そして映像出力部６は、システム制御部４の制御のもとに、供給されるデイジタル編集映像信号Ｓ８をアナログ変換し、得られた編集映像信号Ｓ９をモニタ１６に送出する。
【００３８】
一方このときビデオテープレコーダ１４Ａ〜１４Ｄから出力されたアナログ音声信号Ｓ３及びデイジタル音声信号Ｓ５のうち、音声入出力／ミキサ部９を介してアナログ音声信号Ｓ３が取り込まれた場合には、これが音声入出力／ミキサ部９において必要に応じてミキシング等の編集処理が施された後編集音声信号としてスピーカに送出され、デイジタル映像音声入出力部７を介してデイジタル音声信号Ｓ５が取り込まれた場合には、これが音声入出力／ミキサ部９においてアナログ変換され、ミキシング等の編集処理が施された後、編集音声信号としてスピーカに送出される。
【００３９】
この結果この編集装置１においては、モニタ１６に編集映像信号Ｓ９に基づく編集映像が表示されると共にスピーカから編集音声信号に基づく編集音声が出力され、かくしてオペレータが編集リストに基づく編集映像及び編集音声を確認することができるようになされている。
【００４０】
さらに主制御部３は、編集リストが作成された後、マウス１３又はキーボード１５が操作されてその実行命令が入力されると、これに応じた制御コマンドＣ１をシステム制御部４に送出する。
【００４１】
システム制御部４は、供給される制御コマンドＣ１に基づいて、必要に応じて対応するビデオテープレコーダ１４Ａ〜１４Ｄに制御信号Ｓ１を送出することにより当該ビデオテープレコーダ１４Ａ〜１４Ｄに編集処理に利用するクリツプの映像音声を再生させる一方、必要に応じてコントロールバス１１を介してデイスク制御部１０を制御することにより、ハードデイスク装置２から編集処理に利用するクリツプの映像音声を再生させる。
【００４２】
この結果上述のプレビユーモード時と同様にして、映像特殊効果処理部８に、ビデオテープレコーダ１４Ａ〜１４Ｄから映像入力部５若しくはデイジタル映像音声入出力部７を経由して必要なクリツプのデイジタル映像信号Ｓ６、Ｓ４が与えられ、又はハードデイスク装置２からデイスク制御部１０を経由して必要なクリツプのデイジタル映像信号Ｓ６、Ｓ４が与えられる。
【００４３】
またこのとき音声入出力／ミキサ部９には、ビデオテープレコーダ１４Ａ〜１４Ｄから直接若しくはデイジタル映像音声入出力部７を経由して必要なクリツプのアナログ音声信号Ｓ３若しくはデイジタル音声信号Ｓ５が与えられ、又はハードデイスク装置２からデイスク制御部１０を経由して必要なクリツプのデイジタル音声信号Ｓ７、Ｓ５が与えられる。
【００４４】
そして映像特殊効果処理部８は、システム制御部４の制御のもとに、上述のプレビユーモード時と同様にして、供給される各クリツプのデイジタル映像信号Ｓ６、Ｓ４を必要に応じて特殊効果加工処理し、かくして得られた編集映像の映像信号でなるデイジタル編集映像信号Ｓ８を映像出力部６に送出する。
【００４５】
このとき映像出力部６は、システム制御部４の制御のもとに、供給されるデイジタル編集映像信号Ｓ８をアナログ変換し、得られた編集映像信号Ｓ９を対応するビデオテープレコーダ１４Ａ〜１４Ｄに送出する。
【００４６】
またこのとき音声入出力／ミキサ部９は、システム制御部の制御のもとに、上述のプレビユーモード時と同様にして、供給される各クリツプのアナログ音声信号Ｓ２又はデイジタル音声信号Ｓ５、Ｓ７に対して必要に応じてミキシング等の編集処理を施し、かくして得られた編集音声信号Ｓ１０を対応するデビオテープレコーダ１４Ａ〜１４Ｄに送出する。
【００４７】
このときこのビデオテープレコーダ１４Ａ〜１４Ｄには、システム制御部４から制御信号Ｓ１が与えられており、かしくて当該ビデオテープレコーダ１４Ａ〜１４Ｄは、この制御信号Ｓ１に基づいて、これら映像出力部６から供給される編集映像信号Ｓ９と、音声入出力／ミキサ部９から供給される編集音声信号Ｓ１０とをビデオテープの指定された位置に記録する。
【００４８】
このようにしてこの編集装置１では、作成された編集リストに従つて指定されたクリツプの映像音声を指定された状態に編集加工してビデオテープに記録することができるようになされている。
【００４９】
（２）主制御部の構成
ここで主制御部３は、図２に示すように、ＣＰＵ（Central Processing Unit ）２０、ＲＯＭ（Read Only Memory）２１、ＲＡＭ（Random Access Memory）２２、表示処理部２３、タイトル／グラフイツク生成部２４及びインターフエース回路２５、２６がＣＰＵバス２７を介して接続されることにより構成されており、各インターフエース回路２５、２６をそれぞれ介してマウス１３及びキーボード１５と接続されている。
【００５０】
この場合ＣＰＵ２０は、例えばマウス１３やキーボード１５が操作されることにより所定処理の実行命令がインターフエース回路２５、２６を介して与えられると、ＲＯＭ２１に格納されたプログラムに基づいて、必要に応じてシステム制御部４に制御コマンドＣ１を送出することにより、当該システム制御部４を介して各ビデオテープレコーダ１４Ａ〜１４Ｄ、映像入出力部５、映像出力部６、デイジタル映像音声入出力部７、映像特殊効果処理部８、音声入出力／ミキサ部９及びデイスク制御部１０に所定動作を実行させるようになされ、これにより編集装置１全体として上述したような各種処理を実行させるようになされている。
【００５１】
またこのときＣＰＵ２０は、ＲＯＭ２１に格納されたプログラムに基づいて、必要に応じてＲＯＭ２１内に格納された画像データを読み出し、これを表示処理部２３を介してデイスプレイ１２に与えることにより、後述のようなメイン画面やウインドを表示させる一方、マウス操作に応動してメイン画面内を移動するカーソルや、キーボード１５を介して入力された数字や文字などをデイスプレイ１２に表示させ、かつ映像特殊効果処理部８からタイトル／グラフイツク生成部２４を介して表示処理部２３に与えられるデイジタル映像信号Ｓ６、Ｓ４に基づく映像や静止画像をメイン画面内の所定位置に表示させるようになされている。
【００５２】
さらにＣＰＵ２０は、ＲＯＭ２１に格納されたプログラムに基づいて、必要時にはタイトル／グラフツク生成部２４を制御してタイトル文字やグラフイツクの画像データを生成させてこれを映像特殊効果処理部８に送出させるようになされている。
【００５３】
（３）メイン画面における操作
ここで実際上ＣＰＵ２０は、電源が投入された立ち上がり時、ＲＯＭ２１に格納されているプログラムに基づいて、まず図３に示すようなメイン画面３０をデイスプレイに表示させる。
【００５４】
この場合このメイン画面３０には、オペレータが所望する処理内容を選択するための複数のボタン３１Ａ〜３１Ｑと、登録された各クリツプのリスト等を表示するためのクリツプ表示部３２と、編集リスト作成時における各種処理を指定するための複数のボタン３３Ａ〜３３Ｒと、編集リストを作成するための編集リスト作成部３５とが設けられている。
【００５５】
そしてオペレータは、このメイン画面３０がデイスプレイ１２に表示された状態において、マウス操作により画面上段のビデオクリツプエデイツトボタン３１Ｋを選択することにより、図４のようなウインド（以下、これをビデオクリツプエデイツトウインドと呼ぶ）４０をメイン画面３０上に重ねて表示させることができる。
【００５６】
この場合ビデオクリツプエデイツトウインド４０では、画面の左側上段に各ビデオテープレコーダ１４Ａ〜１４Ｄにそれぞれ対応させてソース選択ボタン４１Ａ〜４１Ｄが複数表示されており、マウス操作によりこれらソース選択ボタン４１Ａ〜４１Ｄのうちのいずれかを選択することにより所望の１台のビデオテープレコーダ１４Ａ〜１４Ｄを選択することができる。
【００５７】
そしていずれかのソース選択ボタン１４Ａ〜１４Ｄを選択した後、マウス操作によりビデオクリツプエデイツトウインド４０内に表示されたいずれかのビデオ操作用ボタン４２Ａ〜４２Ｇを選択することによつて、選択したビデオテープレコーダ１４Ａ〜１４Ｄに選択したビデオ操作用ボタン４２Ａ〜４２Ｇに応じた動作を実行させることができる。なおこのようなビデオテープレコーダ１４Ａ〜１４Ｄの操作は、スライダ４３を用いても行うことができる。
【００５８】
そしてこのときビデオテープレコーダ１４Ａ〜１４Ｄに再生動作や変速再生動作を実行させた場合、当該ビデオテープレコーダ１４Ａ〜１４Ｄによりビデオテープから再生された映像がこのビデオクリツプエデイツトウインド４０内のライブ映像表示部４４内に表示される。
【００５９】
かくしてオペレータは、このライブ映像表示部４４内に表示された映像を目視確認しながらイン点指定用ボタン４５又はアウト点指定用ボタン４６をクリツクすることによつてクリツプとして登録しようとする映像部分のイン点及びアウト点を指定することができ、このとき指定されたイン点及びアウト点の画像がそれぞれイン点画像表示部４７又はアウト点画像表示部４８内に表示される。
【００６０】
またこのときイン点又はアウト点として指定された各画像のビデオテープにおけるタイムコードがそれぞれイン点タイムコード表示部４９又はアウト点タイムコード表示部５０にそれぞれ表示され、指定されたクリツプの素材長（デユレーシヨン）がデユレーシヨン表示部５１に表示される。
【００６１】
なおこのビデオクリツプエデイツトウインド４０では、マウス操作によりコマ送りボタン５１、５２をクリツクすることによつて、ライブ映像表示部４４内に表示された映像を順方向又は逆方向にコマ送り表示させることができ、またライブ映像移動ボタン５３、５４を選択することによつて、ライブ映像表示部４４内に表示された画像をイン点又はアウト点まで移動させることができる。
【００６２】
そして上述のようにしてクリツプのイン点及びアウト点を指定した後、マウス操作により登録ボタン５５をクリツクすることによりこのクリツプを登録することができる。実際上このときこのクリツプのイン点及びアウト点のタイムコード等の関連データがＣＰＵ２０によりＲＡＭ２２に取り込まれる。そしてこのようにして登録されたクリツプのイン点及びアウト点のタイムコードや素材長等がメイン画面３０のクリツプ表示部３２内に表示される。
【００６３】
またこのとき例えばビデオクリツプエデイツトウインド４０のモアボタン５６を選択することによつて開くことのできる図示しない設定画面上で予め取込みモードを選択しておくことによつて、このクリツプの映像音声を上述のようにしてハードデイスク装置２に取り込むことができる。この場合このクリツプの映像信号及び音声信号は、指定された範囲よりも前後所定期間分（例えば２秒分）だけ余分にハードデイスク装置２に取り込まれる。
【００６４】
さらにこのとき例えば上述の設定画面上で予めリンクモード又はノンリンクモードのいずれかを選択することによつて、映像と音声をリンクさせて又はリンクさせないでハードデイスク装置２に取り込ませることができる。
【００６５】
そしてこの後マウス操作によりニユーエデイツトボタン５７をクリツクすることによつてこのビデオクリツプエデイツトウインド４０を初期状態に戻すことができる。これによりオペレータは、この後上述と同様の手順により他のクリツプを順次登録することができる。
【００６６】
またこのビテオクリツプエデイツトウインド４０では、マウス操作によりクローズボタン５８をクリツクすることによつて、当該ビテオクリツプエデイツトウインド４０を閉じることができる。
一方オペレータは、上述のようにしてメイン画面３０のクリプリスト表示部３２に登録されたクリツプのリストが表示された状態（図５）において、このメイン画面３０の編集リスト作成部３５を利用して以下の方法により編集リストを作成することができる。
【００６７】
すなわち、まずマウス操作によりクリツプリスト表示部３２内の所望のクリツプの段にカーソルを合わせた後、マウス１３のボタンを押下するようにして１つのクリツプを指定し、その状態のままカーソルを、編集リスト作成部３５のタイムスケール３５Ａを指標として、第１又は第２のビデオトラツク３５Ｃ、３５Ｅ内の所望位置に移動させた後、マウス１３のボタンを放すようにする。
【００６８】
この結果この第１又は第２のビデオトラツク３５Ｃ、３５Ｅ内には、図６に示すように、そのときのカーソルの位置を先頭として、上述のようにして指定されたクリツプの素材長に応じた長さの枠５０Ａ〜５０Ｄが表示される。またこのときそのクリツプの映像と音声がリンクされて登録されている場合には、その枠５０Ａ〜５０Ｄが表示された第１又は第２のビデオトラツク３５Ｃ、３５Ｄと対応する第１又は第２のオーデイオトラツク３５Ｇ、３５Ｈ内に第１又は第２のビデオトラツク３５Ｃ、３５Ｅ内に表示された枠５０Ａ〜５０Ｄとタイムスケール３５Ａ上で同じ位置に同じ長さの枠５１Ａ〜５１Ｄが表示される。
【００６９】
さらにこのような操作を繰り返し行い、タイムスケール３５Ａの始めのタイムコード（「00:00.00:00 」）から所望するタイムコードまで（すなわち所望する時間分だけ）タイムスケール３５Ａ上において連続するように、第１又は第２のビデオトラツク３５Ｃ、３５Ｅと、第１又は第２のオーデイオトラツク３５Ｇ、３５Ｈに順次枠５０Ａ〜５０Ｄ、５１Ａ〜５１Ｄを表示させる。
【００７０】
ここでこのように編集リスト表示部３５の第１又は第２のビデオトラツク３５Ｃ、３５Ｅや、第１又は第２のオーデイオトラツク３５Ｇ、３５Ｈに枠５０Ａ〜５０Ｄ、５１Ａ〜５１Ｄが表示されることは、編集映像音声の表示時にタイムスケール３５Ａで表された時間にその枠５０Ａ〜５０Ｄ、５１Ａ〜５１Ｄに対応するクリツプの映像が表示され、又は音声が出力されることを意味し、従つてこのような操作により編集映像として順次表示され、又は編集音声として順次出力されるクリツプ映像又は音声を決定してなる編集リストを作成することができる。
【００７１】
なおこのようにして編集リストを作成する際、例えば第１のクリツプの映像から第２のクリツプの映像への切り換わり時に特殊効果処理を施したいときには、先行する第１のクリツプ（以下、これをフロムクリツプと呼ぶ）に対応する第１の枠５０Ａ〜５０Ｄを一方の第１又は第２のビデオトラツク３５Ｃ、３５Ｅに表示させると共に、当該第１の枠５０Ａ〜５０Ｄの後側の一部とその前側の一部がタイムスケール３５Ａでのタイムコードが重なるように後行する第２のクリツプ（以下、これをツークリツプと呼ぶ）に対応する第２の枠５０Ａ〜５０Ｄを他方の第２又は第１のビデオトラツク３５Ｅ、３５Ｃに表示させる。
【００７２】
続いてマウス操作により画面中段部のセレクトエフエクトボタン３３Ｑをクリツクする。この結果メイン画面３０上に、例えば図７のように実行できる各種特殊効果処理の内容を表すアイコン５３Ａ〜５３Ｙが複数表示された所定のウインド（以下、これをセレクトエフエクトウインドと呼ぶ）５２が表示される。
【００７３】
次いで所望する特殊効果処理のアイコン５３Ａ〜５３Ｙ上にカーソルを移動させた後、マウス１３のボタンを押下し、その状態でカーソルを上述の編集リスト作成部３５のエフエクトトラツク３５Ｄにおける一方の第１又は第２のビデオトラツク３５Ｃ、３５Ｅに表示された第１の枠５０Ａ〜５０Ｄと、他方の第２又は第１のビデオトラツク３５Ｅ、３５Ｃに表示された第２の枠５０Ａ〜５０Ｄとのタイムスケール３５Ａ上でのタイムコードが重なり合う部分に移動させてマウス１３のボタンを放す。
【００７４】
この結果セレクトエフエクトウインド５２内に表示されたアイコン５３Ａ〜５３Ｙが画面上をカーソルと一体に移動してマウス１３のボタンが放された位置に貼り付けられた状態で表示され、かくして一方の第１又は第２のビデオトラツク３５Ｃ、３５Ｅに表示された第１の枠５０Ａ〜５０Ｄに対応するクリツプの映像と、他方の第２又は第１のビデオトラツク３５Ｅ、３５Ｃに表示された第２の枠５０Ａ〜５０Ｄに対応するクリツプの映像との繋ぎ部分において上述のようにして貼り付けられたアイコン５３Ａ〜５３Ｙに対応する特殊効果処理を実行すべき旨の指示を入力することができる。なおセレクトエフエクトウインド５２は、マウス操作によりクローズボタン５４をクリツクすることにより閉じることができる。
【００７５】
さらにこのようにして編集リストを作成した後又は編集リストの作成時に、マウス操作によりメイン画面３０の中段に表示されたプレビユーボタン３３Ｄをクリツクすることによつて、この編集リストに基づく編集映像をモニタ１６に表示させることができ、また当該編集リストに基づく編集音声をスピーカから出力させることができる。
【００７６】
さらに編集リストを作成した後、メイン画面３０の中段に表示された記録ボタン３３Ｇをクリツクすることによつて、当該編集リストに基づく編集処理を実行させ、かくして得られた編集映像及び編集音声を予め指定したビデオテープレコーダ１４Ａ〜１４Ｄを介してビデオテープに記録させることができる。
【００７７】
かかる構成に加えこの編集装置１の場合、編集リストの作成時に、例えば図８（Ａ）のように編集リスト作成部３５の同一の第１、第２のビデオトラツク３５Ｃ、３５Ｅ上に連続するようにフロムクリツプ及びツークリツプの枠５０Ｅ、５０Ｆがそれぞれ表示され、若しくは図８（Ｂ）のように異なる第１、第２のビデオトラツク３５Ｃ、３５Ｅ上にタイムスケール３５Ａでのタイムコードが連続するようにフロムクリツプ及びツークリツプの枠５０Ｅ、５０Ｆが表示され、又は図８（Ｃ）のように異なる第１、第２のビデオトラツク３５Ｃ、３５Ｅ上にタイムスケール３５Ａ上でのタイムコードが一部重なり合うようにフロムクリツプ及びツークリツプの枠５０Ｅ、５０Ｆが表示されている場合において、フロムクリツプ及びツークリツプにそれぞれ対応する各枠５０Ｅ、５０Ｆ内を順次クリツクすることによりこれらフロムクリツプ及びツークリツプを指定した後、フロムクリツプに対応する枠５０Ｅの後端（すなわちフロムクリツプのアウト点に対応する部分）近傍若しくはツークリツプに対応する枠５０Ｆの前端（すなわちツークリツプのイン点に対応する部分）近傍をダブルクリツクし、又はメイン画面３０の中段部に表示されたトリムエデイタボタン３３Ｒをクリツクすることによつて、メイン画面３０上に図９に示すようなウインド（以下、これをトリムエデイタウインドと呼ぶ）６０を表示させることができるようになされている。
【００７８】
そしてオペレータは、このトリムエデイタウインド６０を用いて編集リスト上におけるフロムクリツプのアウト点又はツークリツプのイン点のうちのいずれか一方を他方とリンクさせて自在に変更することができる。
【００７９】
実際上このトリムエデイタウインド６０では、上述のようにして指定されたフロムクリツプのアウト点の画像がフロムクリツプアウト点画像表示部６１内に表示されると共に、そのタイムスケール３５Ａ上でのタイムコードがフロムクリツプアウト点タイムコード表示６２部に表示される。またツークリツプのイン点の画像がツークリツプイン点画像表示部６３内に表示されると共に、そのタイムスケール３５Ａ上でのタイムコードがツークリツプイン点タイムコード表示部６４に表示される。
【００８０】
またこのトリムエデイタウインド６０では、マウス操作によりカーソルをスライダ６５上に移動させた後、マウスのボタンを押下し、この状態でマウス操作によりカーソルを左右方向に移動させることによつて、当該カーソルと一体にスライダ６５をスライド操作することができる。
【００８１】
そしてこのトリムエデイタウインド６０では、当該トリムエデイタウインド６０をフロムクリツプに対応する枠５０Ｅの後端近傍をダブルクリツクし、又はトリムエデイタボタン３３Ｒをクリツクすることによつて開いた場合には、スライダ６５を右方向（矢印ａ）にスライドさせることによつて、これに応動させてフロムクリツプアウト点タイムコード表示部６２に表示されたタイムコードを増加させることができ、スライダ６５を左方向にスライドさせることによつて、これに応動させてフロムクリツプアウト点タイムコード表示部６２に表示されたタイムコードを減少させることができる。
【００８２】
そしてこのときメイン画面３０の編集リスト作成部３５の第１又は第２のビデオトラツク３５Ｃ、３５Ｅと、第１又は第２のオーデイオトラツク３５Ｇ、３５Ｈに表示されたフロムクリツプに対応する各枠５０Ｅの後端の位置（図１０（Ａ））がフロムクリツプアウト点タイムコード表示部６２に表示されたタイムコードの値に応じて対応する位置に移動する（図１０（Ｂ）又は（Ｃ））。これにより編集リストにおけるフロムクリツプのアウト点を変更することができる。
【００８３】
またこの際トリムエデイタウインド６０では、フロムクリツプアウト点画像表示部６１に表示される画像（すなわちフロムクリツプのアウト点の画像）がフロムクリツプアウト点タイムコード表示部６２に表示されたタイムコードに対応する画像（すなわち変更されたフロムクリツプのアウト点の画像）に順次変化する。これによりオペレータがフロムクリツプアウト点画像表示部６１内に表示された画像を目視確認しながらフロムクリツプの所望のアウト点を選定することができる。
【００８４】
一方このときツークリツプイン点タイムコード表示部６４に表示されたタイムコードは、フロムクリツプアウト点タイムコード表示部６２に表示されたタイムコードが増加するとこれに応動して減少し、当該タイムコードが減少するとこれに応動して増加する。
【００８５】
またこのときメイン画面３０の編集リスト作成部３５の第２又は第１のビデオトラツク３５Ｅ、３５Ｃと第２又は第１のオーデイオトラツク３５Ｈ、３５Ｇとに表示されたツークリツプに対応する各枠５０Ｆの先端の位置（図１０（Ａ））がツークリツプイン点タイムコード表示部６４に表示されたタイムコードの値に応じて対応する位置に移動し（図１０（Ｂ）又は（Ｃ））、かくして編集リストにおけるツークリツプのイン点が変更される。
【００８６】
このようにこの編集装置１では、トリムエデイタウインド６０をフロムクリツプに対応する枠５０Ｅの後端近傍をダブルクリツクし、又はトリムエデイタボタン３３Ｒをクリツクすることによつて開いた場合、当該トリムエデイタウインド６０内のスライダ６５をスライド操作することよつて編集リストにおけるフロムクリツプのアウト点を自在に変更することができ、これに応動させてツークリツプのイン点を変更させることができる。
【００８７】
なおこの実施の形態の場合、トリムエデイタウインド６０内のフロムクリツプアウト点タイムコード表示部６２に対応するアツプボタン６６Ａ又はダウンボタン６６Ｂをマウス操作によりクリツク又は押下することによつてもフロムクリツプアウト点タイムコード表示部６２内に表示されるタイムコードを増減することができ、この方法によつても編集リストにおけるフロムクリツプのアウト点を変更することができるようになされている。
【００８８】
またこの実施の形態の場合、トリムエデイタウインド６０内のフロムクリツプアウト点タイムコード表示部６２に対応するフレームトリムボタン６７をマウス操作によりクリツク又は押下することによつてもフロムクリツプアウト点タイムコード表示部６２内に表示されたタイムコードを減少させることができ、この方法によつても編集リストにおけるフロムクリツプのアウト点を変更することができるようになされている。
【００８９】
さらにこの実施の形態の場合、ツークリツプイン点画像表示６３に表示された画像（すなわちツークリツプのイン点の画像）は、フロムクリツプのアウト点の変更操作時には変化せず、当該新たなフロムクリツプのアウト点が決定した（すなわちマウス１３のボタンが放された）ときに、そのときツークリツプイン点タイムコード表示部６４に表示されている新たなタイムコードに対応する画像に更新される。
【００９０】
これに対してこのトリムエデイタウインド６０では、当該トリムエデイタウインド６０がツークリツプに対応する枠５０Ｆの前端近傍をダブルクリツクすることによつて開かれた場合、スライダ６５が右方向にスライドされるとこれに応動してツークリツプイン点タイムコード表示部６４に表示されたタイムコードが減少し、スライダ６５が左方向にスライドされるとこれに応動してツークリツプイン点タイムコード表示部６４に表示されたタイムコードが増加する。
【００９１】
またこのときメイン画面３０の編集リスト作成部３５の第１又は第２のビデオトラツク３５Ｃ、３５Ｅと、第１又は第２のオーデイオトラツク３５Ｇ、３５Ｈとに表示されたツークリツプに対応する各枠５０Ｆの前端の位置（図１０（Ａ））がツークリツプイン点タイムコード表示部６４に表示されたタイムコードの値に応じて対応する位置に移動する（図１０（Ｂ）又は（Ｃ））。これにより編集リストにおけるツークリツプのイン点を変更することができる。
【００９２】
またこの際トリムエデイタウインド６０では、ツークリツプイン点画像表示部６３に表示される画像（すなわちツークリツプのイン点の画像）がツークリツプイン点タイムコード表示部６４に表示されたタイムコードに対応する画像（すなわち変更されたツークリツプのイン点の画像）に順次変化する。これによりオペレータがツークリツプアウト点画像表示部６３内に表示された画像を目視確認しながらツークリツプの所望のイン点を選定することができる。
【００９３】
一方このときフロムクリツプアウト点タイムコード表示部６２に表示されたタイムコードは、ツークリツプイン点タイムコード表示部６４に表示されたタイムコードが減少するとこれに応動して増加し、当該タイムコードが増加するとこれに応動して減少する。
【００９４】
またこのときメイン画面３０の編集リスト作成部３５の第２又は第１のビデオトラツク３５Ｅ、３５Ｃと、第２又は第１のオーデイオトラツク３５Ｈ、３５Ｇとに表示されたフロムクリツプに対応する枠の後端の位置（図１０（Ａ））がフロムクリツプアウト点タイムコード表示部６２に表示されたタイムコードの値に応じて対応する位置に移動し（図１０（Ｂ）又は（Ｃ））、かくして編集リストにおけるフロムクリツプのアウト点が変更される。
【００９５】
このようにこの編集装置１では、トリムエデイタウインド６０をツークリツプに対応する枠５０Ｆの前端近傍をダブルクリツクすることによつて開いた場合、当該トリムエデイタウインド６０内のスライダ６５をスライド操作することよつて、編集リストにおけるツークリツプのイン点を変更することができ、これに応動させてフロムクリツプのアウト点を変更させることができる。
【００９６】
なおこの実施の形態の場合、トリムエデイタウインド６０内のツークリツプイン点タイムコード表示部６４に対応するアツプボタン６８Ａ又はダウンボタン６８Ｂをマウス操作によりクリツク又は押下することによつても、ツークリツプイン点タイムコード表示部６４内に表示されるタイムコードを増減することができ、この方法によつても編集リストにおけるツークリツプのイン点を変更することができる。
【００９７】
またこの実施の形態の場合、トリムエデイタウインド６０内のツークリツプイン点タイムコード表示部６４に対応するフレームトリムボタン６９をマウス操作によりクリツク又は押下することによつても、ツークリツプイン点タイムコード表示部６４内に表示されるタイムコードを増加させることができ、この方法によつても編集リストにおけるツークリツプのイン点を変更することができる。
【００９８】
さらにこの実施の形態の場合、フロムクリツプアウト点画像表示６１に表示された画像（すなわちフロムクリツプのアウト点の画像）は、ツークリツプのイン点の変更操作時には変化せず、当該新たなツークリツプのイン点が決定した（すなわちマウス１３のボタンが放された）ときに、そのときフロムクリツプイン点タイムコード表示部６２に表示されている新たなタイムコードに対応する画像に更新される。
【００９９】
一方このトリムエデイタウインド６０では、プレビユーボタン７０をクリツクすることによつて、フロムクリツプのアウト点を変更するモードの場合には、フロムクリツプアウト点タイムコード表示部６２に表示されているタイムコードを中心として前後所望時間分の映像をモニタ１６に表示させ、かつ音声をスピーカから出力させてフロムクリツプのアウト点近傍の編集映像をプレビユすることができ、またツークリツプのイン点を変更するモードの場合には、ツークリツプイン点タイムコード表示部６４に表示されているタイムコードを中心として前後所望時間分の映像をモニタ１６に表示させ、かつ音声をスピーカから出力させてツークリツプのイン点近傍の編集映像をプレビユすることができる。
【０１００】
この場合プレビユの開始点からフロムクリツプアウト点タイムコード表示部６２に表示されているタイムコード、又はツークリツプイン点タイムコード表示部６４に表示されているタイムコードまでの時間（以下、これをフオワードタイムと呼ぶ）は、キーボード１５を介して所望時間を入力することにより設定することができ、このとき入力されたフオワードタイムがフオワードタイム表示部７１に表示される。またこのフオワードタイム表示部７１に表示されたフオワードタイムは、フオワードタイム表示部７１に対応して設けられたアツプボタン７２Ａ又はダウンボタン７２Ｂをマウス操作によりクリツク又は押下することによつて増減することができる。
【０１０１】
またフロムクリツプアウト点タイムコード表示部６２に表示されているタイムコード、又はツークリツプイン点タイムコード表示部６４に表示されているタイムコードからプレビユの終了点までの時間（以下、これをリウインドタイムと呼ぶ）も、これと同様にして設定することができる。
【０１０２】
さらにこのトリムエデイタウインド６０では、プレビユー時にストツプボタン７５をクリツクすることによりこれを停止することができ、さらにはクローズボタン７６をクリツクすることによりこのトリムエデイタウインド６０を閉じさせることができる。
【０１０３】
（４）トリムエデイタモード処理手順
ここでＣＰＵ２０は、トリムエデイタウインド６０のオープン時、図１１及び図１２に示すトリムエデイタモード処理手順ＲＴ１に従つて上述の各処理を順次実行する。
【０１０４】
すなわちＣＰＵ２０は図８（Ａ）〜（Ｂ）のようにメイン画面３０の編集リスト作成部３５のタイムスケール３５Ａにおいてタイムコードが連続し、又は一部が重なり合う一対のフロムクリツプ及びツークリツプにそれぞれ対応する各枠５０Ｅ、５０Ｆ内を順次クリツクされた後、フロムクリツプに対応する枠５０Ｅの後端近傍若しくはツークリツプに対応する枠５０Ｆの前端近傍がダブルクリツクされ、又はメイン画面３０内のトリムエデイタボタン３３Ｒがクリツクされると、このトリムエデイタモード処理手順ＲＴ１をステツプＳＰ１において開始し、続くステツプＳＰ２において図８（Ａ）〜（Ｃ）のように編集リスト作成部３５のタイムスケール３５Ａにおけるタイムコードが連続し、又は一部重なつた２つのクリツプが選択されているか否かを判断する。
【０１０５】
そしてＣＰＵ２０は、このステツプＳＰ２において肯定結果を得ると、ステツプＳＰ３に進んでこれら２つのクリツプのタイムスケール３５Ａでのタイムコードに基づいて、一方をフロムクリツプに決定すると共に他方をツークリツプに決定する。
【０１０６】
次いでＣＰＵ２０はステツプＳＰ４に進み、編集リスト上におけるタイムコードの変更処理（以下、これをトリム処理と呼ぶ）の対象となる編集点を決定する。実際上このときＣＰＵ２０は、フロムクリツプに対応する枠５０Ｅの後端近傍がダブルクリツクされ、又はトリムエデイタボタン３３Ｒがクリツクされるようにしてトリムエデイタウインド６０のオープン命令が入力された場合には、トリム処理対象の編集点としてフロムクリツプのアウト点を選択する一方、ツークリツプに対応する枠５０Ｆの前端近傍がダブルクリツクされるようにしてトリムエデイタウインド６０のオープン命令が入力された場合には、トリム処理対象の編集点としてツークリツプのイン点を選択する。
【０１０７】
続いてＣＰＵ２０は、ステツプＳＰ５に進んでシステム制御部４（図１）を介してハードデイスク装置１０を制御することにより、フロムクリツプのアウト点の画像及びツークリツプのイン点の画像の各画像データを再生させ、当該画像データに基づく画像をトリムエデイタウインド６０内のフロムクリツプアウト点画像表示部６１又はツークリツプイン点画像表示部６３内にそれぞれ表示させる一方、トリムエデイタウインド６０内のフロムクリツプアウト点タイムコード表示部６２及びツークリツプイン点タイムコード表示部６４内にそれぞれ編集リスト作成部３５のタイムスケール３５Ａにおけるフロムクリツプのアウト点のタイムコード又はツークリツプのイン点のタイムコードを表示させる。
【０１０８】
続いてＣＰＵ２０は、ステツプＳＰ６に進んでトリムエデイタウインド６０内のプレビユーボタン７０がクリツクされたか否かを判断する。
【０１０９】
そしてＣＰＵ２０は、このステツプＳＰ６において否定結果を得るとステツプＳＰ１４に進み、肯定結果を得るとステツプＳＰ７に進んでこのときトリムエデイタウインド６０内のリウインドタイム表示部７３又はフオワードタイム表示部７１にそれぞれ表示されているリウインドタイム及びフオワードタイムを取り込む。
【０１１０】
次いでＣＰＵ２０は、ステツプＳＰ８に進み、メイン画面３０の編集リスト作成部３５に表示された内容のデータに基づいて、フロムクリツプからツークリツプに移る際のエフエクトの時間を取り込み、この後ステツプＳＰ９に進んでこのときの編集点のタイムコード（すなわちこのときトリムエデイタウインド６０内のフロムクリツプアウト点タイムコード表示部６２又はツークリツプイン点タイムコード表示部６４に表示されているタイムコード）を取り込む。
【０１１１】
そしてＣＰＵ２０は、この後ステツプＳＰ１０に進んでこれら取り込んだ各データに基づいてプレビユの開始及び終了のタイムコードを決定し、この後ステツプＳＰ１１に進んでシステム制御部４（図１）を介してハードデイスク装置１０を制御することにより必要な映像音声を再生させる一方、これと同時にシステム制御部４を介して映像特殊効果処理部８、映像出力部６及び音声入出力／ミキサ部９を制御することにより、ハードデイスク装置１０から出力されるデイジタル映像信号Ｓ６、Ｓ４に基づく編集映像信号Ｓ９をモニタ１６に送出させ、かつハードデイスク装置１０から出力されるデイジタル音声信号Ｓ７、Ｓ５に基づく編集音声信号をスピーカに送出させる。これによりＣＰＵ２０は、指定された範囲の編集映像及び編集音声をモニタ１６に表示させ、又はスピーカから出力させる。
【０１１２】
次いでＣＰＵ２０はステツプＳＰ１２に進んでトリムエデイタウインド６０内のストツプボタン７５がクリツクされたか否かを判断し、否定結果を得るとステツプＳＰ１４に進み、肯定結果を得るとステツプＳＰ１３に進んでこれに応じた制御コマンドＣ１をシステム制御部４に送出することにより編集映像のモニタ表示及び編集音声の出力を停止させた後ステツプＳＰ１４に進む。
【０１１３】
さらにＣＰＵ２０は、このステツプＳＰ１４に移ると、トリムエデイタウインド６０内のスライダ６５、フレームトリムボタン６７、６９、アツプボタン６６Ａ、６８Ａ又はダウンボタン６６Ｂ、６８Ｂが操作されたか否かを判断する。
【０１１４】
ここでこのステツプＳＰ１４において否定結果を得ることは、ステツプＳＰ４において決定した編集点のタイムコードの変更を指示する操作命令が入力されていないことを意味し、このときＣＰＵ２０はステツプＳＰ１９に進む。
【０１１５】
これに対してステツプＳＰ１４において肯定結果を得ることは、ステツプＳＰ４において決定した編集点のタイムコードの変更を指示する操作命令が入力されたことを意味し、このときＣＰＵ２０は、ステツプＳＰ１５に進んでメイン画面３０の編集リスト作成部３５の第１又は第２のビデオトラツク３５Ｃ、３５Ｅと、第１又は第２のオーデイオトラツク３５Ｇ、３５Ｈとに表示されているフロムクリツプに対応する各枠５０Ｅの後端及び編集リスト作成部３５の第２又は第１のビデオトラツク３５Ｅ、３５Ｃと、第２又は第１のオーデイオトラツク３５Ｈ、３５Ｇとツークリツプに対応する枠５０Ｆの前端の位置を、そのときトリムエデイタウインド６０内のフロムクリツプアウト点タイムコード表示部６２又はツークリツプイン点タイムコード表示部６４に表示されているタイムコードに対応する位置に順次移動させる。
【０１１６】
さらにＣＰＵ２０は、この後ステツプＳＰ１６に進んで、トリムエデイタウインド６０のフロムクリツプアウト点タイムコード表示部６２に表示されたタイムコードと、ツークリツプイン点タイムコード表示部６４に表示されたタイムコードとを、それぞれこのときのスライダ６５、フレームトリムボタン６７、６９、アツプボタン６６Ａ、６８Ａ又はダウンボタン６６Ｂ、６８Ｂの操作に応じた値に書き換える。
【０１１７】
次いでＣＰＵ２０は、ステツプＳＰ１７に進んでシステム制御部４（図１）を介してハードデイスク装置１０を制御することにより編集点（フロムクリツプのアウト点又はツークリツプのイン点）の画像データを再生させてこれに基づく映像を、編集点がフロムクリツプのアウト点である場合にはトリムエデイタウインド６０内のフロムクリツプアウト点画像表示部６１に表示させる一方、編集点がツークリツプのイン点である場合にはトリムエデイタウインド６０内のツークリツプイン点画像表示部６３に表示させ、この後ステツプＳＰ１８に進んでシステム制御部４を介して映像特殊効果処理部８及び映像出力部６を制御することにより、この編集点の画像の画像データをモニタ１６に送出させる。
【０１１８】
さらにＣＰＵ２０は、この後ステツプＳＰ１９に進んでトリムエデイタウインド６０内のクローズボタン７６がクリツクされたか否かを判断し、肯定結果を得るとステツプＳＰ２０に進んでこのトリムエデイタモード処理手順ＲＴ１を終了する一方、否定結果を得るとステツプＳＰ２に戻つて、この後このステツプＳＰ１９において肯定結果を得るまで上述のようにしてステツプＳＰ２〜ステツプＳＰ１９の処理を順次繰り返すようになされている。
【０１１９】
（５）本実施の形態の動作及び効果
以上の構成において、この編集装置１では、メイン画面３０の編集リスト作成部３５の第１、第２のトラツク３５Ｃ、３５Ｅ上にタイムスケール３５Ａでのタイムコードが連続し、又は一部重なり合うように対応する枠５０Ｅ、５０Ｆが表示された２つのクリツプを指定した後、所定の操作によりトリムエデイタウインド６０を開き、当該トリムエデイタウインド６０内のスライダ６５又はフレームトリムボタン６７、６９を操作することにより、フロムクリツプアウト点タイムコード表示部６２又はツークリツプイン点タイムコード表示部６４に表示された所定の一方のタイムコードを他のタイムコードと連動させて相補的に変化させることができる。
【０１２０】
そしてこのときメイン画面３０の編集リスト作成部３５内に表示されたその２つのクリツプに対応する２つの枠５０Ｅ、５０Ｆのうち、フロムクリツプ側の枠５０Ｅの後端と、インクリツプ側の枠５０Ｆの前端とがそれぞれトリムエデイタウインド６０内の対応するフロムクリツプアウト点タイムコード表示部６２又はツークリツプイン点タイムコード表示部６４に表示されたタイムコードの変化と連動して移動する。
【０１２１】
従つてこの編集装置１では、ＡＢロール編集作業時におけるフロムクリツプのアウト点及びインクリツプのイン点の微調整を同時にかつ一括して行うことができ、その分ＡＢロール編集作業を格段的に容易化することができる。
【０１２２】
以上の構成によれば、メイン画面３０の編集リスト作成部３５の第１、第２のトラツク３５Ｃ、３５Ｅ上にタイムスケール３５Ａでのタイムコードが連続し、又は一部重なり合うように対応する枠５０Ｅ、５０Ｆが表示された２つのクリツプを指定され、トリムエデイタウインド６０内のスライダ６５又はフレームトリムボタン６７、６９が操作されたときに、メイン画面３０の編集リスト作成部３５内に表示されたフロムクリツプ側の枠５０Ｅの後端と、インクリツプ側の枠５０Ｆの前端とがスライダ６５又はフレームトリムボタン６７、６９の操作に応動して一体に移動するようにしたことにより、フロムクリツプのアウト点及びインクリツプのイン点の微調整を同時にかつ一括して行うことができ、かくして編集作業を格段的に容易化し得る編集装置を実現できる。
【０１２３】
（６）他の実施の形態
なお上述の実施の形態においては、本発明を図２のように構成された主制御部３に適用するようにした場合について述べたが、本発明はこれに限らず、要は、オペレータの操作に基づいて、第１及び第２の映像素材を繋ぎ合わせた編集映像を得るための編集内容を規定した編集データを作成し得るようになされたこの他種々の編集データ作成装置に適用することができる。
【０１２４】
また上述の実施の形態においては、本発明を図１のように構成された編集装置１に適用するようにした場合について述べたが、本発明はこれに限らず、要は、オペレータの操作に基づいて、第１及び第２の映像素材を繋ぎ合わせた編集映像を得るための編集内容を規定した編集データを作成し、当該生成した編集データに基づいて第１及び第２の映像素材を編集して編集映像を生成するようになされたこの他種々の編集装置に適用することができる。
【０１２５】
さらに上述の実施の形態においては、編集リストを作成する際、フロムクリツプのアウト点の画像及びツークリツプのイン点の画像を表示する表示手段としてデイスプレイ１２を適用するようにした場合について述べたが、本発明はこれに限らず、例えばモニタ１６に表示させるようにしても良い。
【０１２６】
さらに上述の実施の形態においては、トリムエデイタウインド６０のフロムクリツプアウト点画像表示部６１にフロムクリツプのアウト点の画像を表示し、ツークリツプイン点画像表示部６２にツークリツプのイン点の画像を表示するようにした場合について述べたが、本発明はこれに限らず、例えばフロムクリツプアウト点画像表示部６１内にフロムクリツプの特殊効果処理の開始点でなる編集点の画像を表示し、ツークリツプイン点画像表示部６２にツークリツプの特殊効果処理の開始点でなる編集点の画像を表示するようにしても良い。
【０１２７】
【発明の効果】
上述のように本発明によれば、オペレータの操作に基づいて、第１及び第２の映像素材を繋ぎ合わせた編集映像を得るための編集内容を規定した編集データを作成し、当該作成した編集データに基づいて第１及び第２の映像素材を編集して編集映像を生成する編集装置において、編集データを変更する際、第１の映像素材におけるアウト点の映像及び当該アウト点を示す第１のタイムコード値と、第２の映像素材におけるイン点の映像及び当該イン点を示す第２のタイムコード値とを表示する表示手段と、第１のタイムコード値又は第２のタイムコード値に対する増減変更操作を受け付ける操作受付手段と、第１のタイムコード値が増減変更された場合には、当該第１のタイムコード値と連動し相補的に第２のタイムコード値を増減させ、第２のタイムコード値が増減変更された場合には、当該第２のタイムコード値と連動し相補的に第１のタイムコード値を増減させる連動変更手段とを設けるようにしたことにより、第１及び第２の映像素材の繋ぎ目におけるアウト点及びイン点の調整を１回の操作だけで行い得るようにすることができ、かくして編集作業の効率を格段的に向上させ得る編集装置を実現できる。
【０１２８】
また本発明によれば、オペレータの操作に基づいて、第１及び第２の映像素材を繋ぎ合わせた編集映像を得るための編集内容を規定した編集データを作成し、当該作成した編集データに基づいて第１及び第２の映像素材を編集して編集映像を生成する編集方法において、編集データを変更する際、第１の映像素材におけるアウト点の映像及び当該アウト点を示す第１のタイムコード値と、第２の映像素材におけるイン点の映像及び当該イン点を示す第２のタイムコード値とを表示する表示ステツプと、第１のタイムコード値又は第２のタイムコード値に対する増減変更操作を受け付ける操作受付ステツプと、第１のタイムコード値が増減変更された場合には、当該第１のタイムコード値と連動し相補的に第２のタイムコード値を増減させ、第２のタイムコード値が増減変更された場合には、当該第２のタイムコード値と連動し相補的に第１のタイムコード値を増減させる連動変更ステツプとを設けるようにしたことにより、第１及び第２の映像素材の繋ぎ目におけるアウト点及びイン点の調整を１回の操作だけで行い得るようにすることができ、かくして編集作業の効率を格段的に向上させ得る編集方法を実現できる。
【図面の簡単な説明】
【図１】本実施の形態による編集装置の構成を示すブロツク図である。
【図２】主制御部の構成を示すブロツク図である。
【図３】メイン画面を示す略線図である。
【図４】ビデオクリツプエデイツトウインドを示す略線図である。
【図５】メイン画面を示す略線図である。
【図６】メイン画面を示す略線図である。
【図７】セレクトエフエクトウインドを示す略線図である。
【図８】フロムクリツプ及びツークリツプにそれぞれ対応する枠の位置関係の説明に供する略線図である。
【図９】トリムエデイタウインドを示す略線図である。
【図１０】トリム時におけるフロムクリツプ及びツークリツプにそれぞれ対応する枠の変化の説明に供する略線図である。
【図１１】トリムエデイタモード処理手順を示すフローチヤートである。
【図１２】トリムエデイタモード処理手順を示すフローチヤートである。
【符号の説明】
１……編集装置、２……ハードデイスク装置、３……主制御部、４……システム制御部、１２……デイスプレイ、１３……マウス、１４Ａ〜１４Ｄ……ビデオテープレコーダ、１５……キーボード、１６……モニタ、２０……ＣＰＵ、３０……メイン画面、３５……編集リスト作成部、３５Ａ……タイムスケール、３５Ｃ、３５Ｅ……ビデオトラツク、３５Ｇ、３５Ｈ……オーデイオトラツク、４０……ビデオクリツプエデイツトウインド、５０Ａ〜５０Ｆ……枠、６０……トリムエデイタウインド、６１……フロムクリツプアウト点画像表示部、６２……フロムクリツプアウト点タイムコード表示部、６３……ツークリツプイン点画像表示部、６４……ツークリツプイン点タイムコード表示部、６５……スライダ、６７、６９……フレームトリムボタン、ＲＴ１……トリムエデイタモード処理手順、Ｓ２……アナログ映像信号、Ｓ３……アナログ音声信号、Ｓ４、Ｓ６……デイジタル映像信号、Ｓ５、Ｓ７……デイジタル音声信号、Ｓ８……デイジタル編集映像信号、Ｓ９……編集映像信号、Ｓ１０……編集音声信号。
【図１】
0003906875.tif 000002
【図２】
0003906875.tif 000003
【図３】
0003906875.tif 000004
【図４】
0003906875.tif 000005
【図５】
0003906875.tif 000006
【図６】
0003906875.tif 000007
【図７】
0003906875.tif 000008
【図８】
0003906875.tif 000009
【図９】
0003906875.tif 000010
【図１０】
0003906875.tif 000011
【図１１】
0003906875.tif 000012
【図１２】
0003906875.tif 000013